Podtech/llm-jp-corpus-v4-ja_patent huggingface dataset:
(57)【要約】【課題】従来のコーヒードリッパーはレギュラーコーヒー粉の流出を留めるためにペーパーフィルターや金属メッシュフィルターを使用する必要があった。本発明はフィルターを必要としないコーヒードリッパーである。【解決手段】ドリッパー筒とドリッパー受けの２部品を組み合わせたとき、ドリッパー筒の底部とドリッパー受けの平面部の間に構成される隙間にレギュラーコーヒー粉の粒子が詰まって濾過材の働きをすることによって抽出されたコーヒーだけがコーヒーカップに流出して、コーヒーを淹れることができるコーヒードリッパーである。【選択図】図３
2018069008.tif 000002
【特許請求の範囲】
【請求項１】
ドリッパー筒とドリッパー受けの２部品で構成され、ドリッパー筒は底部Ａの中心部にメッシュを形成している、ドリッパー受けは底部Ｂの中心部に閉じた凹部と凹部の周囲にドリッパー筒の底部Ａを支える平面部があり平面部に複数の開孔を設けている、さらにドリッパー筒をドリッパー受けの筒部Ｂに勘合させたときドリッパー筒の底部Ａとドリッパー受けの平面部が隙間を構成するようにドリッパー筒の底部Ａまたはドリッパー受けの平面部に複数の突起を設けている、このように構成された隙間に詰まったレギュラーコーヒー粉の粒子は濾過材の働きをするためペーパーフィルターや金属メッシュフィルターを必要としないコーヒードリッパー。
【発明の詳細な説明】
【技術分野】
【０００１】  従来のコーヒードリッパーは市販されている漏斗状に成形されたペーパーフィルターを使用するものや細目の金属メッシュフィルターを一体成形したものであった。【０００２】  本発明はペーパーフィルターや金属メッシュフィルターを使用することなく、樹脂成形の２部品を組み合わせてできる隙間がフィルターの役目をすることによってレギュラーコーヒーを淹れることができるコーヒードリッパーである。
【背景技術】
【０００３】  従来のコーヒードリッパーはレギュラーコーヒー粉の流出を留めるためにペーパーフィルターや金属メッシュフィルターを使用する必要があった。消耗品のペーパーフィルターは市販品を購入する必要があり、また金属メッシュフィルターは製造上のコストが高いという欠点が有った。
【発明の概要】
【発明が解決しようとする課題】
【０００４】  ペーパーフィルターや金属メッシュフィルターが不要であり、使用方法が簡単であって美味しいレギュラーコーヒーを淹れることができるコーヒードリッパーであること。【０００５】  樹脂の成形部品２点を組み合わせるだけでコーヒードリッパーの機能を成して、安価な商品を市場に提供できること。
【課題を解決するための手段】
【０００６】  本発明はドリッパー筒とドリッパー受けの２点の成形部品で構成される。ドリッパー筒はレギュラーコーヒー粉を入れて保持する部品であり、底部の中心部に一体成形されたメッシュを有する。【０００７】  ドリッパー受けは底部の中心に閉じた凹部を設けて、凹部の周囲にドリッパー筒の底部を支える平面部があり、平面部には複数の開孔を設ける。【０００８】  さらにドリッパー筒をドリッパー受けの筒部に勘合させたとき、ドリッパー筒の底部とドリッパー受けの平面部が隙間を構成するようにドリッパー筒の底部Ａまたはドリッパー受けの平面部に複数の突起が設けられている。このように構成された隙間にレギュラーコーヒー粉の粒子が詰まり、濾過材の働きをするコーヒードリッパーである。
【発明の効果】
【０００９】  樹脂成形の簡単な２点の部品で構成され、従来のペーパーフィルター式ドリッパーのように消耗品であるペーパーフィルターを購入する必要がないコーヒードリッパーである。【００１０】  従来の金属メッシュフィルター式は金属メッシュと樹脂を一体成形するため製造コストが高いが、本発明は樹脂成形部品だけであるため安価な商品を市場に提供できる。
【発明を実施するための形態】
【実施例】
【００１１】  以下本発明の実施例を図１、図２、図３、図４に基づいて説明する。図１はドリッパー筒１を示し、筒状の成形部品であって筒部Ａ２の上部は開口３であり下部は中心部にメッシュ４を有した底部Ａ５を形成してレギュラーコーヒー粉１６を入れて保持できる。【００１２】  図２はドリッパー受け６を示し、筒状の成形部品であってコーヒーカップ１７の上縁１８に載置するために筒部Ｂ７にフランジ８を設けている。ドリッパー受け６の底部Ｂ９の中心部に閉じた凹部１０を設けて、凹部１０の周囲に平面部１１を設けてドリッパー筒１の底部Ａ５を支える複数の突起１２と抽出されたコーヒーが流出する複数の開孔１３を形成している。【００１３】  図３はドリッパー筒１とドリッパー受け６を組み合わせてコーヒーカップ１７の上縁１８に載置したところを示す図面である。ドリッパー筒１の筒部Ａ２はドリッパー受け６の筒部Ｂ７の内径に勘合する寸法になっている。【００１４】  図４はドリッパー筒１の底部Ａ５とドリッパー受け６の底部Ｂ９の状態を示す拡大図面である。底部Ａ５と平面部１１によって隙間１４が構成されレギュラーコーヒー粉１６の粒子１５が隙間１４に詰まることによって濾過材の働きをする。抽出されたコーヒーは開孔１３から流出して凹部１０の外面を伝ってコーヒーカップ１７に滴下する。【００１５】  ドリッパー筒１のメッシュ４はレギュラーコーヒー粉１６の粒子１５が流出することを留めることができるが多少の粒子１５は流出して隙間１４に詰まって濾過材の役目となり余分な粒子１５は凹部１０の底に溜まる。【００１６】  ドリッパー筒１の上部はレギュラーコーヒー粉１６が入れやすいように広角に形成され、底部Ａ５のメッシュ４はドリッパー受け６の凹部１０より小径の範囲に形成されている。【００１７】  このように本発明はペーパーフィルターや金属メッシュフィルターが不要であって、大変簡単で安価な部品を使用して商品化できるコーヒードリッパーである。
【図面の簡単な説明】
【００１８】
【図１】  本発明のドリッパー筒である。
【図２】  本発明のドリッパー受けである。
【図３】  本発明のドリッパー筒をドリッパー受けに勘合して、コーヒーカップの上に載置して使用する状態図である。
【図４】  本発明のドリッパー筒とドリッパー受けの底部に構成される隙間を示す拡大図である。
【符号の説明】
【００１９】１    ドリッパー筒                  ２    筒部Ａ
３    開口                          ４    メッシュ
５    底部Ａ                        ６    ドリッパー受け
７    筒部Ｂ                        ８    フランジ
９    底部Ｂ                        １０  凹部
１１  平面部                        １２  突起
１３  開孔                          １４  隙間
１５  粒子                          １６  レギュラーコーヒー粉
１７  コーヒーカップ                １８  上縁
１９  熱湯
【図１】
2018069008.tif 000003
【図２】
2018069008.tif 000004
【図３】
2018069008.tif 000005
【図４】
2018069008.tif 000006
(57)【要約】【課題】  宴席等で、通常の盃でも飲み干すまで持ち続けてなければならないような手段を提供すること【解決手段】  酒杯を含む全体の重心より下した垂線の足が、酒盃が空のときは接地面の内側に位置するようにすることにより置くことを可能にし、液体を入れた盃を置こうとするときは該足が接地面の外側に位置する。このような構成をとることにより、空にしなければ、酒盃を置くことができない。酒盃置きの形状は、実在または架空の人間、動植物を含む生物又は想像上の生物とすることができる。【選択図】  図４
2018042773.tif 000002
【特許請求の範囲】
【請求項１】
空になった酒盃を置くための酒盃置きであって、酒盃の中の液体の有無により全体の重心が移動することで、空のときは静置することができ、中に液体があるときは倒れてしまって静置できないように構成された酒盃置き。
【請求項２】
酒杯を含む全体の重心より下した垂線の足が、酒盃が空のときは接地面の内側に位置するようにすることにより置くことを可能にし、液体を入れた盃を置こうとするときは該足が接地面の外側に位置することにより、該酒盃置きが転倒して、酒盃を置くことができないようにした前記１の酒盃置き。
【請求項３】
酒盃置きの形状が、実在または架空の人間、動植物を含む生物又は想像上の生物である前記１又は２の酒盃置き。
【請求項４】
酒盃置きの形状が、なまはげである前記３の酒盃置き。
【発明の詳細な説明】
【技術分野】
【０００１】
本発明は酒盃置きに関する。さらに詳しくは、中に酒等の液体が入った盃を置こうとすると転倒するため、盃が空でないと置くことができない酒盃置きに関する。
【背景技術】
【０００２】
我が国では、宴会の席では昔から他人に酒を注いで奨めるお酌の習慣が一般的である。特に酒が強い人が多いと言われる地方では、注いだ酒を完全に飲み干すことを強いることによって、宴席を盛り上げるというようなことが屡々行われる。そのために、注がれた酒を飲み干さないと置くことができないように高台がなかったり、底に穴が開いていて指で塞がなければならないように工夫された特殊な盃もあり、宴席のお遊び的な小道具となっていたりする（非特許文献１）。
【先行技術文献】
【非特許文献】
【０００３】
【非特許文献１】ウイキペディア「可杯（べくはい）」の項
【発明の概要】
【発明が解決しようとする課題】
【０００４】
上記のように、特殊な盃を用いると、注がれた酒を飲み干さない限り盃を手に持っていなければならないが、通常の盃では  飲み干すまで持ち続けていなければならないということはない。そこで、通常の盃でも飲み干すまで持ち続けてなければならないような手段があれば、宴席で同じような盛り上げ効果を得ることができる。
本発明は、上記のような状況に鑑みなされたものである。
【課題を解決するための手段】
【０００５】
すなわち、本発明は以下のとおりである。
１．空になった酒盃を置くための酒盃置きであって、酒盃の中の液体の有無により全体の重心が移動することで、空のときは静置することができ、中に液体があるときは倒れてしまって静置できないように構成された酒盃置き。
２．酒杯を含む全体の重心より下した垂線の足が、酒盃が空のときは接地面の内側に位置するようにすることにより置くことを可能にし、液体を入れた盃を置こうとするときは該足が接地面の外側に位置することにより、該酒盃置きが転倒して、酒盃を置くことができないようにした前記１の酒盃置き。
３．酒盃置きの形状が、実在または架空の人間、動植物を含む生物又は想像上の生物である前記１又は２の酒盃置き。
４．酒盃置きの形状が、なまはげである前記３の酒盃置き。
【発明の効果】
【０００６】
本発明の酒盃置きは、空の酒盃を置くことが可能であるが、中に液体があるときは倒れてしまうので、宴席等でお酌された人は酒を飲み干さないと酒盃を置くことができないということになり、宴席を盛り上げるための小道具として有効である。
【図面の簡単な説明】
【０００７】
【図１】本発明の原理を示した実施例である。
【図２】本体がなまはげを模したものの実施例で、正面やや上から見た図である。
【図３】本体がなまはげを模したものの実施例で、側面から見た図である。
【図４】本体がなまはげを模したものの実施例で、酒盃に酒を満たしたため転げてしまった図である。
【発明を実施するための形態】
【０００８】
以下に、本発明を説明する。
図１は本発明の原理を分かりやすく描いた実施例で、１は酒盃置き本体、２は酒盃である。３は酒盃を受けるための腕がついたリング状受具、４は受け具を支えるための円柱、５は接地のための底部で円盤状の中心部５ａとそれより突出する３本の突出部５ｂ  よりなり、酒盃を置かないとき又は空の酒盃を置くときは本体をテーブルやお膳等に静置できるようになっている。
【０００９】
酒盃２はリング状の酒盃受け３に置くことができる。そして、酒盃が空のときは、盃を含む全体の重心から下した垂線の足が、接地面の内側であるＢ点に位置するようにして静置可能にし、酒盃に液体を入れたときは、接地面の外側であるＡ点に位置するようにし転倒してしまうように重心位置が調整されている。ここで、接地面とは文字とおり接地している面だけでなく、底部平面が内側に凹状の形状を有する場合は図１に示すように、最外部の２点を結ぶ接戦（鎖線）の内側をも含むものである。
【００１０】
本発明の酒盃置きは重心の位置を微妙に調整することにより、酒盃の中の液体の有無により静置したり転倒したりするものであるが、その重心を調整するための調整手段を有してもよい。例えば、図１の円柱４の受け具と反対側に螺子式の重りを具備してもよい（図示していない）。
【００１１】
本発明において、酒盃とは盃のみならず、コップ等のアルコール飲料を摂取するのに用いる容器はすべて含む。底部は高台がなくてもよく、あってもよい。また、コップのようなものであってもよい。
【００１２】
酒盃置き本体の形状は、特に制限はなく、実在または架空の人間、動植物を含む生物又は想像上の生物を含む。特にその用途に鑑みると、なるべく滑稽感を醸し出すものが好ましい。図２〜４はその一例で、秋田県男鹿地方に伝わるなまはげを模した酒盃置きである。１０は酒盃置き本体、１１は酒盃である。図２は酒盃が空の状態で置かれなまはげが抱えている状態を正面やや上からみた図、図３はそれをほぼ側面からみた図、図４は酒を満たしたために転がってしまった状態を側面からみた図である。空の状態では足と尻で全体を支えているが、酒杯に酒を満たすと重心の位置がずれて足より前にきて倒れてしまうのである。
【産業上の利用可能性】
【００１３】
本発明の酒盃置きは、宴席等でお酌された人は酒を飲み干さないと酒盃を置くことができないということになり、宴席を盛り上げ、ひいては外食産業、酒造産業等に資する。
【符号の説明】
【００１４】
１、１０  盃置き本体
２、１１  酒盃
５  盃置基底部
【図１】
2018042773.tif 000003
【図２】
2018042773.tif 000004
【図３】
2018042773.tif 000005
【図４】
2018042773.tif 000006
(57)【要約】【課題】  従来の電動機などは、磁気の反発や吸着する力を利用して電気で動作するが、電磁石の心材である磁気反応物質を一時的に磁化することなどで動作するその際、磁極の入れ替えなどが激しくなると磁極が飽和状態になる、高速回転に向いていない。  また、磁石が磁気反応物質に接し反応することが抵抗になる磁気抵抗で、動力に負荷を与えて余分な資源を使い、回転が飽和になるため使用する範囲を定めることで解決してきた。【解決手段】  磁気の反発や吸着する力を利用せず、磁石の磁束方向を交差させ電子の流れを作るために、永久磁石の磁束に電子を加え回転する又は移動する電動機で、磁極の入れ替えで回転を飽和状態にせず、磁気反応物質と磁石間又は磁石と磁石間で発生する磁気抵抗が無いため電力を無駄の使用しなで使用範囲を向上させる。【選択図】図３
2018042443.tif 000002
【特許請求の範囲】
【請求項１】
磁石の磁束を使い、作動する磁石の磁束と固定する磁石の磁束とで交差するようにして作動に備え、どちらかの磁石に永久磁石と電磁石又は電磁石と電磁石を使い磁束方向を交差させて円周状などで起点と終始点が無い状態を作り作動させるように備え、磁束に電子が加わることで磁束が磁束の流れに乗ることで回転などをする電子流電動機。
【請求項２】
永久磁石に電流を流す又は放電で磁石に自由電子など電子を与えて電磁石の特性を持つ永久磁石。
【発明の詳細な説明】
【技術分野】
【０００１】  本発明は、電子の流れで回転又は移動する電動機に関する。
【背景技術】
【０００２】  従来の電動機は磁石同士の反発や吸着する力を使い回転運動などしていたが、磁気の入れ替えなどで動力回転数が飽和状態になることと、磁気を反応させることで磁気抵抗が生まれてしまう。
【発明の概要】
【発明が解決しようとする課題】
【０００３】  上記に述べた従来の電動機では、高回転で飽和状態になり磁気抵抗が生まれることで、燃料など余分に使用する。これらは現在から未来に至る課題である。
【課題を解決するための手段】
【０００４】  そして本発明は、磁気の反発や吸着などの力を使わず、自由電子を磁束の流れに乗せ、動力元とする。過去から現在に至るまで無い、新なる方法で解決する。
【発明の効果】
【０００５】  上述したように本発明の電子流電動機は、永久磁石から発生している磁束は磁石自体の磁極をつなぎ極性を安定させるためにあり、電子が流れる状態を作っているが、しかし永久磁石とその磁束の流れにのる電子類は存在せず求めている状態であるために電子類などを吸収する特徴があるので、電気を供給する事で永久磁石が電磁石の特徴をもち電子の流れが発生する。【０００６】  また、永久磁石の磁束が電気を帯びることで電磁石の特徴をもち、電流の強弱により電子流に流れる自由電子の数量による制御ができる。【０００７】  そして電子が流れる磁束をもつ磁石で磁束が交差する状態を作り、円内で同極の磁束とそれを交差するように磁束を配置した磁石で、磁石は永久磁石と電磁石の組み合わせ又は、永久磁石と永久磁石の組み合わせに電流などで通電出来る状態にする。又は、永久磁石と永久磁石の組み合わせに静電気などを流すようにして、流れる電子が交差して電子に電子が乗り電子の流れをつかった電動機として提供できる。
【図面の簡単な説明】
【０００８】
【図１】  使用磁石と磁石の特性を示す図
【図２】  永久磁石に自由電子など電子を伝える仕組み図
【図３】  電子流電動機の横断面図
【発明を実施するための形態】
【０００９】以下、本発明の実施の形態を図１〜図３に基づいて説明する。
【実施例】
【００１０】  図において、１はＳ極１で磁束による極性が反対に成る部分３を除き、使用する磁束が多い範囲５内で動力となる磁石を使用し、磁極方向又は着磁方向４によりＮ極２側に成る面で動力元を得るときはＳ極１側と同様にして極性を反対にする。【００１１】  図２は、動作する又は固定する部分でＳ極１やＮ極２をもつ磁石を銅やアルミなど非磁性の通電物質を使用した磁石支持部６で固定して通電物質を使用した回転軸７に動力を伝え、電気に含まれる電子を回転軸７や通電物質を使用した回転軸７を通し磁石の磁束に送る。【００１２】  図３は、電子流電動機の構造体の使用例で、磁束が、縦方向の永久磁石９に磁束が横方向の永久磁石８が交差した状態で交わり、永久磁石９に対して永久磁石８の異極を先頭に同極を後方にして動作する状態にして、自由電子などを発生し放電する装置１８から放電された電子を空気中の電子を送る羽１４を通じて、電子を磁石に伝え支える支持部１０から永久磁石８に電子が伝わり、電磁石化して動作し電子を磁石に伝え支える支持部１０を通じ、動力が通電物質など材料とした回転軸１６を通じ回転動力として提供でき、残された電子は自由電子など電子を吸収する装置１９で吸収される。
【符号の説明】
【００１３】１    Ｓ極
２    Ｎ極
３    極性が反対に成る部分
４    磁極方向又は着磁方向
５    使用する磁束が多い範囲
６    銅やアルミなど非磁性の通電物質を使用した磁石支持部
７    通電物質を使用した回転軸
８    磁束が横方向の永久磁石
９    磁束が縦方向の永久磁石
１０  電子を磁石に伝え支える支持部
１１  反対磁極性をもつ磁石
１２  回転軸受け
１３  軸受を支持する支持部
１４  空気中の電子を送る羽
１５  非磁性の通電物質などを材質にした回転部分
１６  通電物質など材料とした回転軸
１７  電子流電動機本体を支持する入れ物
１８  自由電子などを発生し放電する装置
１９  自由電子など電子を吸収する装置
【図１】
2018042443.tif 000003
【図２】
2018042443.tif 000004
【図３】
2018042443.tif 000005
(57)【要約】【課題】  マニキュアを施術するときに、マニキュア容器を固定し自在に寝かせられ、マニキュア溶液を最後まで使い切ることのできる吸盤付マニキュアボトル寝かせ器を提供する。【解決手段】  吸盤状の土台（１）の中央部にボールジョイント（２）を設け、クリップ状の本体（３）をジョイントしてマニキュアボトルをはさみ無段階に寝かせられることを特徴とする。【選択図】図１
2018042959.tif 000002
【特許請求の範囲】
【請求項１】
円形吸盤の中央部にボールジョイントを設け、シリコンラバー付クリップをジョイントし、無段階に角度を変えられる吸盤付マニキュアボトル寝かせ器。
【請求項２】
前記吸盤付マニキュアボトル寝かせ器はシリコンラバー付クリップにより、さまざまな形状のマニキュアボトルを安定して支持する請求項１に記載の吸盤付マニキュアボトル寝かせ器。
【請求項３】
前記吸盤付マニキュアボトル寝かせ器はマニキュアボトルを寝かせることで溶液を最後まで使い切れる請求項１または２に記載の吸盤付マニキュアボトル寝かせ器。
【発明の詳細な説明】
【技術分野】
【０００１】  本発明は平面に吸盤にて本体を固定させ、マニキュアボトルをはさみ、無段階に寝かせられる吸盤付マニキュアボトル寝かせ器に関するものである。
【背景技術】
【０００２】  従来、マニキュアボトルは自立させて使用するものである。
【発明の開示】
【発明が解決しようとする課題】
【０００３】  これは次のような欠点があった。
（イ）施術する際、いちいちボトルを片方の手で持ち、ブラシをもう片方の手指で持たな      ければならなかった。
（ロ）自立させて使用するには不安定である。
（ハ）マニキュア溶液を最後まで使うには、ボトルを斜めにしなけらばならない。
本発明は、これらの欠点を除くためになされたものである。
【課題を解決するための手段】
【０００４】  吸盤状の土台（１）の中央部にボールジョイント（２）を設け、クリップ状の本体（３）をジョイントしてマニキュアボトルをはさみ寝かせることができる。
本発明は、以上ような構成よりなる吸盤付マニキュアボトルである。
【発明の効果】
【０００５】  誤って倒さない。
マニキュア溶液を最後まで使える。
両手が使え施術が容易である。
【発明を実施するための最良の形態】
【０００６】  以下、本発明を実施するための最良の形態について説明する。
吸盤状の土台（１）の中央部にボールジョイント（２）を設け、クリップ状の本体（３）をジョイントし、本体のシリコンラバー（５）にて多彩な形状のマニキュアボトルでもしっかり支持できる。
本発明は以上のような構造で、これを使用するときは平面に本器を吸盤で固定させ、マニキュアボトルをクリップにはさみ、自在な角度に寝かせる。
【図面の簡単な説明】
【０００７】
【図１】本発明の斜視図である。
【図２】本発明の正面図である。
【図３】本発明の平面図である。
【図４】本発明の側面図である。
【図５】本発明の使用状態を示した図である。
【図６】本発明の使用状態を示した図である。
【符号の説明】
【０００８】  １  吸盤
２  ボールジョイント
３  クリップ
４  板バネ
５  シリコンラバー
【図１】
2018042959.tif 000003
【図２】
2018042959.tif 000004
【図３】
2018042959.tif 000005
【図４】
2018042959.tif 000006
【図５】
2018042959.tif 000007
【図６】
2018042959.tif 000008
(57)【要約】【課題】車の運転者の、居眠り運転を防ぐことを目的とした送風機を提供する。【解決手段】車の運転者が、つぶれた状態でガス交換機能の衰えた休眠中の肺胞に、自身の吸気と共に圧縮空気を送って強制的にふくらませ、肺胞のガス交換機能を一時的に高めることにより運転者の眠気を軽減、居眠り運転を防ぐことが出来る、送風機を提供する。【選択図】図１
2018042969.tif 000002
【特許請求の範囲】
【請求項１】
車の運転者の居眠り運転を防ぐ為の、電気で作動し簡単に持ち運びできる送風機であって、前記運転者が運転前に前記送風機を作動させ、空気吐出口または前記空気吐出口と直結したホース等の先端を口に含み、気道を通じて肺胞に前記肺胞が損傷しない程度の圧縮空気を、前記運転者の吸気と共に送ることにより、つぶれた状態でほとんどガス交換を行っていない休眠中の前記肺胞を、強制的にふくらませて前記休眠肺胞を活性化、即ち前記休眠肺胞のガス交換機能を高めることにより、前記運転者の脳に、より酸素に富んだ血液を送り眠気を軽減することにより、前記運転者の居眠り運転を防ぐ送風機。
【発明の詳細な説明】
【発明の詳細な説明】
【技術分野】
【０００１】  この発明は、車の運転者が、送風機等を用いて圧縮空気を運転者自身の吸気と共に肺胞に送り込み、運転者の休眠中の肺胞を強制的に膨張させて、肺胞のガス交換機能を速やかに向上させ、ガス交換機能が衰えていることにより生じる、居眠り運転等を防ぐ送風機に関する。
【背景技術】
【０００２】  車の運転者自身に起因する、重大交通事故の要因の一つが居眠り運転であるが、その主因の一つとして、脳に十分な酸素が供給されないことによることはよく知られており、その対策として多くの提案がなされている。（例えば、特許文献１〜２参照）。
【先行技術文献】
【特許文献１】特願２０００−１１００１１号広報
【特許文献２】特願２００４−２５７８３５号広報
【０００３】  しかしながら従来技術の多くは、運転者に新鮮な空気又は酸素を供給するのみで、運転者の肺胞のガス交換機能を積極的に向上させる等の機能が無いため、新鮮な空気を供給しても運転者の肺胞のガス交換機能が衰えている、すなわち休眠中の肺胞が多い場合はその効果は期待できない。
【発明が解決しょうとする課題】
【０００４】  本発明は、以上のような課題に対処して創作したものであって、その目的とするところは、
▲１▼  車の運転者が送風機等を用いて自分の肺胞に、肺胞が損傷しない程度の圧縮空気を吸気と共に送り、つぶれてガス交換機能の衰えた休眠中の肺胞を強制的にふくらませることにより、速やかに肺胞のガス交換機能を高めることが出来る装置であること。
▲２▼  肺のガス交換機能を高めた状態が一定期間持続すること。
▲３▼  電気で起動、停止し、片手でも容易に運搬出来、何時でも何処でも容易に使用出来る装置であること。
【０００５】  本発明は、以上のような課題に対処して創作したものであって、その目的とする処は、簡単な装置で容易かつ速やかに、居眠り運転を防ぐ送風機等を提供することにある。
【課題を解決するための手段】
【０００６】  本発明は、上記課題を解決するための手段として、電気で作動し簡単に持ち運びできる送風機であって、運転者が運転前に送風機を作動させ、空気吐出口または空気吐出口と直結したホース等の先端を口に含み、気道を通じて肺胞に肺胞が損傷しない程度の圧縮空気を、運転者の吸気と共に送ることにより、つぶれた状態でほとんどガス交換を行っていない休眠中の肺胞を、強制的にふくらませて休眠肺胞を活性化、即ち休眠肺胞のガス交換機能を高めることにより、運転者の脳に、より酸素に富んだ血液を送り眠気を軽減することにより、運転者の居眠り運転を防ぐ送風機を制作する。
【発明の効果】
【０００７】  本発明の、居眠り運転を防ぐ送風機は、効果が持続するため、あらかじめ運転をする前に使用出来、人目等を気にする必要がなく結果的に事故が防止出来る。
【０００８】  本発明の、居眠り運転を防ぐ送風機を繰り返し使用すれば、休眠中の肺胞がふくれた状態にくせずいていくため、だんだん眠気を催しにくい体質に変わっていく等の利点がある。
【０００９】  本発明の、居眠り運転を防ぐ送風機は、本例では乗用車の電源（ＤＣ１２Ｖ）を使用することを前提としているが、アダプターを使用することにより、家庭の電源（ＡＣ１１０Ｖ）でもトラック（ＤＣ２４Ｖ）でも容易に使うことが出来る。
【実施例】  以下、図面を参照しながら、本発明を具体化した実施例について説明する。【００１０】  図１〜図２は本発明を具体化したもので、図１は居眠り運転を防ぐ送風機の全体図で、図２は本発明品を使用している図である。【００１１】  図１は乗用車のシガーソケット（ＤＣ１２Ｖ）に対応したプラグ付きの電気コードが付き、吐出口１ｂにはシリコンチューブ５が取り付けられている。【００１２】  図２は本発明の居眠り運転を防ぐ送風機を、停車している乗用車内で使用している図である。
【図面の簡単な説明】
【００１３】
【図１】は、本発明の居眠り運転を防ぐ送風機の全体図である。
【図２】は、本発明の居眠り運転を防ぐ送風機を停車中の車内で使用している図である。
【符号の説明】  １・・送風機本体、１ａ・・送風機吸入口ノズル、１ｂ・・送風機吐出口ノズル、２・・駆動、停止スイッチ、３・・電気コード、４・・シガーソケット用プラグ、５・・シリコンチューブ、
【図１】
2018042969.tif 000003
【図２】
2018042969.tif 000004
(57)【要約】【課題】スーツケースの上にスーツケースを安定的に垂直方向の収納が可能となるように、スーツケース上部の取っ手やフレームの凸部分と底のフレームの凸部分に接触させずに安定的に積み重ねることができる収納補助具を提供する。【解決手段】本品はスーツケースの形状に合わせた中が空洞の長方体で、底面と天面は無く（１）４枚の側壁面の上下に（２）凹部を設けた構造を特徴とする。【選択図】図１
2018042968.tif 000002
【特許請求の範囲】
【請求項１】
中が空洞の長方体で、底面と天面は無く、（１）４枚の側壁面の上下に（２）凹部を設けたスーツケース積み上げ収納補助具。
【発明の詳細な説明】
【技術分野】
【０００１】この発明は、スーツケース積み上げ収納補助具に関するものである。
【背景技術】
【０００２】従来、複数個のスーツケースの収納はそれぞれに場所を必要としていた。
【発明の開示】
【発明が解決しようとする課題】
【０００３】スーツケースは、取っ手やファスナー部分やキャスター部分が凸状態になっており、従来はスーツケースとスーケースを縦に積み上げることは不可能であり、補助具は存在しなかった。
【課題を解決するための手段】
【０００４】本品は、中が空洞の長方体で、底面と天面は無く４枚の側壁面の上下に凹部を持つ形状である。
本発明は、以上の構成よりなるスーツケース積上げ収納補助具である。
【発明の効果】
【０００５】スーツケース積み上げ収納補助具は、スーツケース上部の取っ手やフレームの凸部分と、積み重ねる側のスーツケースの底のフレームの凸部分やキャスター部分に接触せずに、安定的に垂直方向に積み重ねが可能になり、スーツケース１個分の場所での収納ができるようになる。またこれは店舗での立体的な陳列にも応用可能と思われる。また、キャスターの間隔の短い小型スーツケースの収納時は、４枚の側壁面の上下に凹部がある為、長方体の側壁面の、短辺側を使用すれば決できる。
【発明を実施するための最良の形態】
【０００６】以下、本発明を実施する為の最良の形態について説明する。
本品は、中が空洞の長方体で、底面と天面は無く（１）４枚の側壁面の上下に（２）凹部を設けた物である。
本発明は以上のような構造である。
【図面の簡単な説明】
【０００７】
【図１】本発明の斜視図である。
【図２】本発明の側面図である。
【図３】本発明の底面図である。
【図４】本発明の使用時の側面図である。
【符号の説明】
【０００８】１  スーツケース収納補助具
２  凹部
３  スーツケース
【図１】
2018042968.tif 000003
【図２】
2018042968.tif 000004
【図３】
2018042968.tif 000005
【図４】
2018042968.tif 000006
(57)【要約】【課題】  市販されている靴は、通気性が悪く、靴内が蒸れ、臭気及び水虫に多くの人が悩んでいる。  本発明は、靴内の蒸れを防止する蒸れない靴用エアー供給器を提供する。【解決手段】  ホース本体先端部に指間ストッパーを設け、指間ストッパー先端部にエアー吹出口を設ける。エアーポンプにエアー供給ホースを設け、エアー供給ホース先端部にホース接続治具を設け、ホース本体後部との脱着ができることを特徴とする蒸れない靴用エアー供給器。【選択図】図１
2018042963.tif 000002
【特許請求の範囲】
【請求項１】
ホース本体先端部に指間ストッパーを設け、指間ストッパー先端部にエアー吹出口を設け、エアーポンプにエアー供給ホースを設け、エアー供給ホース先端部にホース接続治具を設け、ホース本体後部との脱着をできるようにした蒸れない靴用エアー供給器。
【発明の詳細な説明】
【技術分野】
【０００１】  本発明は、靴や靴下を履くことにより発生する水虫の対策に関するものである。
【背景技術】
【０００２】  従来、靴内の通気性を良くする手段として、靴に大きな開口部を設けたり、中敷に送風用袋を設け、歩くと圧縮空気を靴内に送る方法が知られている（実用新案文献１参照）。
【先行技術文献】
【特許文献】
【０００３】
【特許文献１】  実用新案登録  第３０２９９７５号公報
【発明の概要】
【発明が解決しようとする課題】
【０００４】  従来より、市販されている靴は、通気性が悪く靴内が蒸れ、臭気及び水虫に多くの人が悩んでいる。
本発明は、以上の問題点を解決するためになされたものである。
【課題を解決するための手段】
【０００５】  ホース本体先端部に指間ストッパーを設け、指間ストッパー先端部にエアー吹出口を設ける。エアーポンプにエアー供給ホースを設け、エアー供給ホース先端部にホース接続治具を設け、ホース本体後部との脱着ができるようにした。
以上の構成よりなる蒸れない靴用エアー供給器。
【発明の効果】
【０００６】  従来、靴を履くことで靴内の蒸れに悩まされていたが、本発明により臭気や水虫対策ができる。
【図面の簡単な説明】
【０００７】
【図１】  本発明の斜視図
【図２】  本発明の使用状態を示す斜視図
【図３】  本発明の使用状態を示す側面図
【本発明を実施するための形態】
【０００８】  以下、本発明の実施の形態を説明する。
（イ）ホース本体（１）の先端部に指間ストッパー（２）を設ける。
指間ストッパー（２）の先端部にエアー吹出口（３）を設ける。
（ロ）エアーポンプ（６）にエアー供給ホース（５）を設け、エアー供給ホース（５）の      先端部にホース接続治具（４）を設ける。
本発明は、以上のような構造である、
本発明を使用するときは、ホース本体（１）の先端部に設けた指間ストッパー（２）を、足の第１趾（母趾）（ａ）と第２趾（ｂ）の間に挟み軽く固定する。その状態で靴下を履き、ホース本体（１）の後部は、靴下上部から先端部を出す。エアーポンプ（６）は、小型・軽量の乾電池式で、足首等にベルト等で装着し、エアー供給ホース（５）の先端部のホース接続治具（４）をホース本体（１）の後部に接続する。
エアーポンプ（６）は、空気を圧縮して器外に押し出すポンプでエアーポンプ（６）のスイッチを入れると、エアー供給ホース（５）から、ホース本体（１）を通り、指間ストッパー（２）の先端部に設けたエアー吹出し口（３）から新鮮なエアーが吹出し、靴の蒸れを防ぐ。又、ホース本体（１）は、横長で平坦な形状であり、靴下の下に通しても違和感がない。エアーの吹出しは、エアーポンプ（６）のスイッチのＯＮ、ＯＦＦで可能であり、歩く時、歩かない時に関わらず自由に操作できる。
【符号の説明】
【０００９】１  ホース本体、２  指間ストッパー、３  エアー吹出口、４  ホース接続治具、５  エアー供給ホース、６  エアーポンプ、７  足首、８  エアーポンプ装着ベルト、９  靴下
【図１】
2018042963.tif 000003
【図２】
2018042963.tif 000004
【図３】
2018042963.tif 000005
(57)【要約】【課題】  トイレットペーパーホルダーの使用時に、その紙を鋸刃状のカッターで切ったとき、残った紙が隠れず、次の使用者が容易に端部を手にすることが可能なトイレットペーパーカッターを提供する。【解決手段】  ペーパーホルダーの端部に、平行に隙間を空けてペーパーカッター部を装着する。ペーパーカッターは片手で操作可能であり、紙の端部が隠れず残ることを特徴とした、トイレットペーパーカッター。【選択図】図３
2018042973.tif 000002
【特許請求の範囲】
【請求項１】
トイレットペーパーホルダーにおいて、トイレットペーパーをカットするため、ト
2018042973.tif 000003
によりトイレットペーパーを切断する、トイレットペーパーカッター。
【発明の詳細な説明】
【技術分野】
【０００１】  本発明は、トイレットペーパーホルダーの使用時に、その紙を、鋸刃状のカッターで切ったとき，残った紙が隠れず、次の使用者が、容易に紙の端部を手にすることが可能なトイレットペーパーカッターに関するものである。
【背景技術】
【０００２】  従来、トイレットペーパーホルダーで紙を切る時は、手で蓋を抑えて、もう一方の手で紙を切っていた。片手で切ることは困難だった。
【発明の開示】
【発明を解決しようとする課題】
【０００３】  そのために、次のような問題点があった。
ペーパーホルダーの蓋の端部を抑えて紙を切っていたので、残った紙は見えなかった。紙の質によっては、端部を探すのが容易でなかった。また、片手不自由な方には綺麗に紙を切ることが出来なかった。本発明は以上の問題点を解決しようというものである。
【課題を解決するための手段】
【０００４】  ペーパーホルダーの端部に鋸刃状のペーパーカッターを、少し間隙を空けて装着する。そのカッターは片手で操作が可能であり、紙の端部が残ることを特徴としたトイレットペーパーカッターである。
【発明の効果】
【０００５】  本発明は、ペーパーカッターで紙を切るとき、片手で可能であり、残った紙が鋸刃状の部分に残るか，鋸刃状から紙が離れても、紙が垂れて見え、切断部が綺麗であり、しかも次の利用者が紙の端部を探す必要がなく、片手で可能である。
【図面の簡単な説明】
【０００６】
【図１】本発明のトイレットペーパーホルダー装着斜視図
【図２】本発明の紙カット時の斜視図
【図３】本発明の分解図
【発明を実施するための形態】
【０００７】  以下、本発明の実施形態を説明する。
カッター上部にギザギザの、鋸刃状部（２）を設ける。刃の凹部は鋭角に、凸部は危険防止上、丸くする。挿入部（１）は従来のペーパーホルダーの端部に挿入して固定する。安全のため、危険防止蓋（３）で鋸刃状部を覆うように被せ、危険防止蓋固定部を従来のペーパーホルダーの上部に装着する。
【符号の説明】
【０００８】  １ペーパーカッター挿入部
２鋸刃状部
３危険防止蓋
４危険防止蓋固定部
【図１】
2018042973.tif 000004
【図２】
2018042973.tif 000005
【図３】
2018042973.tif 000006
(57)【要約】【課題】  ロールペーパーの上部カバー先端から離れた位置でペーパーを切断することにより、ペーパーの頭出しの所作を省くことができる、三角折り不要紙巻器を提供する。【解決手段】  二重構造のペーパー上部カバーの中間層に、出し入れできるカッターを内蔵し、ペーパー切断時にはカッターを引き出し、切断後はカッターを元の位置に格納することを特徴とする、三角折り不要紙巻器。【選択図】図１
2018042972.tif 000002
【特許請求の範囲】
【請求項１】
二重構造のペーパー上部カバーの中間層に、出し入れできるカッターを内蔵し、ペーパー切断時にはカッターを引き出し、切断後はカッターを元の位置に格納することを特徴とする、三角折り不要紙巻器。
【請求項２】
ペーパー上部カバー先端部下側は、第２カッターとしての切断機能を有しているため、三角折り不要の効果は得られないが、カッターを引き出さずに、従来道りの仕様で使うことも可能な、請求校１の三角折り不要紙巻器。
【発明の詳細な説明】
【技術分野】
【０００１】  本発明は、ロールペーパーの上部カバー先端から離れた位置でペーパーを切断することにより、ペーパーの頭出しの所作をはぶくことができる、三角折り不要紙巻器に関するものである。
【背景技術】
【０００２】  従来ロールペーパーは、上部カバー先端部で押さえて切断するため、ペーパーの頭は常に上部カバーの陰に隠れる状態になっていた。
【先行技術文献】
【特許文献】
【０００３】
【特許文献１】  特開２０１５−１７３９６５号公報
【発明の概要】
【発明が解決しようとする課題】
【０００４】従来より、次のような問題点があった。
（イ）ペーパーの頭が上部カバーの陰に隠れているために、ペーパーを取り出す際には手でロールを回転させ、ペーパーの頭出しをする必要がある。
（ロ）その際、もう一方の手で上部カバーをロールから浮かさなければならないこともある。
（ハ）そうした煩わしさを解消するために、予めペーパーを三角折りにして頭を出し、次の使用に備える事があるが、それには相応の手間がかかる。
（ハ）更に、用を足し終えてから三角折りの所作をすることに、次の使用者の中には三角折りに、不潔さを感じる人もいる。
本発明は以上の問題点を解決しようとするものである。
【問題を解決しようとする手段】
【０００５】  二重構造のペーパー上部カバーの中間層に、出し入れできるカッターを内蔵し、ペーパーの切断時にはカッターを引き出し、切断後はカッターを元の位置に格納する。
以上を特徴とする、三角折り不要紙巻器である。
【発明の効果】
【０００６】  本発明は、ペーパー上部カバー内から引き出したカッターでペーパーを切断した後、カッターを元の位置に格納することで、ペーパーの頭とペーパー上部カバー先端に位置の差を生じさせる。
それによりペーパーの頭は常に露出されるので、使用の度にペーパーの頭出しをする必要がなくなり、三角折りも不要となる。
【図面の簡単な説明】
【０００７】
【図１】本発明のカッター引き出し状態の斜視図である。
【図２】本発明の側面から見た断面図である。
【図３】本発明の正面から見た、中間部の断面図である。
【図４】本発明の正面から見た、カッター出入り口の断面図である。
【発明を実施するための形態】
【０００８】（イ）ロールペーパー径の１・５〜１・６倍程度のＲをもたせた二重構造のペーパー上部カバー（１）の中間層に、先端が三角形の出し入れ可能なカッター（２）を内蔵させる。
（ロ）カッター（２）の上部中程にカッターつまみ（３）を取り付ける。
（ハ）ペーパー上部カバー（１）にはカッターつまみ（３）の軸を通すための、カッターつまみ通路口（４）を設ける。
（ニ）ペーパー上部カバー（１）の両側下方にはカッター（２）の出し入れを誘導するカッターガイド（６）を設ける。
（ホ）カッターガイド（６）は、ペーパー上部カバー先端部で両側をつないで一体とし、ペーパー切断の機能を有した第２カッター（５）とする。
（ヘ）カッター（２）には、格納を補助する戻りスプリング（７）を取り付ける。
本発明は、以上の構成より成っている。
本発明を使用するときは、ペーパー切断に際し、カッターつまみ（３）を介してペーパー上部カバー（１）内からカッター（２）を引き出し、これに取り出したペーパーを当てて切断する。
切断を終えたら、カッター（２）をペーパー上部カバー（１）内に格納する。
これにより、ペーパーの先端とペーパー上部カバー（１）の先端に位置の差が生じ、三角折りを実施した場合と同等の効果が得られる。
【実施例１】
【０００９】  ペーパー上部カバー（１）先端部下側は第２カッター（５）としての切断機能を有しているため、カッター（２）を引き出さずに、従来通りの仕様でもペーパー切断が可能である。
【実施例２】
【００１０】  本発明では、戻りスプリング（７）の装備を基本とするが、それを備えず手動のみでカッター（２）を格納する形態もあり得る。
【実施例３】
【００１１】  本発明では、三角形のカッター形状を基本とするが、機能が確保できれば他の形状でも良い。
【実施例４】  本発明では、カッター（２）の出し入れ幅を５０〜６０ミリで想定しているが、機能が確保できれば出し入れ幅に指定はない。
【符号の説明】
【００１３】    １    ペーパー上部カバー
２    カッター
３    カッターつまみ
４    カッターつまみ通路口
５    第２カッター
６    カッターガイド
７    戻りスプリング
８    ロールペーパー
【図１】
2018042972.tif 000003
【図２】
2018042972.tif 000004
【図３】
2018042972.tif 000005
【図４】
2018042972.tif 000006
(57)【要約】      （修正有）【課題】移動式洗浄ノズル便器使用時での、適切なる洗浄及び使い勝手を提供する。【解決手段】最初に、手動式ノズルで、肛門の中心部を探し出し、中心部にノズルを設定する。その後、装置に組み込んだソフトに、肛門中心前後に移動を繰り返す機能を設定し、それを起動するスイッチを作動させることにより、洗浄ノズルが、自動的に、肛門を中心に、前後に何度も移動往復し、尻を洗浄する。【選択図】なし【特許請求の範囲】
【請求項１】
洗浄便座移動式ノズルに、肛門中心に何度も自動的に前後に移動して、洗浄をする機能を設けた装置である。
【発明の詳細な説明】
【技術分野】
【０００１】  この発明は、人間の排便後、移動式洗浄ノズルで肛門の中心を確定後、中心位置前後適切範囲内を何度も洗浄ノズルを前後に移動して、肛門を洗浄する便器である。
【背景技術】
【０００２】  従来、移動式洗浄ノズルの移動は、何度もスイッチを押す手動移動であった。
【発明の概要】
【発明が解決しようとする課題】
【０００３】  これは、次のような欠点があった。
従来、人間が移動式ノズル便座に座って、肛門の位置を索定し、適切に綺麗に洗浄するのには時間がかかり、煩わしいものであった。
本発明は、以上のような余分な手間を掛ける欠点をなくすためになされたものである。
【課題を解決するための手段】
【０００４】  最初に、手動式ノズルで、肛門の中心部を探し、中心部にノズルを設定する。そして、ノズル移動ソフトに、肛門中心部前後に移動を繰り返す機能を組み込み、それを機能させる別口スイッチを作り、肛門全体を何度も前後適切範囲を移動して洗浄をすることにする。
本発明は、以上の構成よりなる自動移動洗浄ノズル便器である。
【発明の効果】
【０００５】  肛門の中心さえ分かれば、別口スイッチを押すだけで、自動的にノズルが何度も肛門前後移動洗浄を繰り返し、適正範囲を正確に、且つ煩わしくなく、洗浄行為が行われることである。
(57)【要約】【課題】「高周波超伝導電磁エンジン」を改良する。「高周波超伝導電磁エンジン」は、脈流磁界の電磁力が偏って「超伝導磁石」に作用することにより機能するが、その形式上、常伝導磁石から「超伝導磁石」に働く電磁力の偏りが失われやすい。そこで、電磁力の偏りを恒常的に確保したい。また、高周波の脈流を扱う複雑さを回避したい。【解決手段】超伝導電磁エンジンの「超伝導磁石」を磁気シールドによって半分程度覆うと共に、超伝導電磁エンジンの磁石となるループには直流電流を流す。【選択図】図１
2018017151.tif 000002
【特許請求の範囲】
【請求項１】
磁気シールドで半分程度を覆った「超伝導磁石」に対して固定された位置にあるループに直流電流を流すことにより、そのループに電磁力、即、磁力を発生させる一方、直流磁界が作用して「超伝導磁石」の永久電流に働く電磁力の力積が運動量に変化しない無効となるので、ループに発生した電磁力、即、磁力を推進力・制動力・浮力として利用する請求項１の装置。
【発明の詳細な説明】
【技術分野】
【０００１】
本発明は超伝導現象を利用して電気エネルギーから変換された直線的運動エネルギーを人間が利用可能にする超伝導電磁エンジン技術に関する。
【背景技術】
【０００２】
電気エネルギーを運動エネルギーに変換して利用可能にする技術としては各種のモーター（電動機）や、リニアモーターカーの使用するリニアモーターがある。電気エネルギーを得る技術には各種の発電機がある。これらに加えて、超伝導電磁エンジン技術がある。超伝導電磁エンジンは「超伝導磁石」と磁石となるループを重ね合わせて固定する構造を持つ。「高周波超伝導電磁エンジン」（特許文献１及び非特許文献１参照）は、従来の超伝導電磁エンジン技術最新型である。新改型超伝導電磁エンジンは「高周波超伝導電磁エンジン」の改良を目的とする。
【先行技術文献】
【特許文献】
【０００３】
【特許文献１】特開２００７−２７８２６５号公報
【非特許文献】
【０００４】
【非特許文献１】久保田英文著  「銀河への道」ブイツーソリューション  ２００９年
【発明の概要】
【発明が解決しようとする課題】
【０００５】
「高周波超伝導電磁エンジン」は、脈流磁界の電磁力が偏って「超伝導磁石」に作用することにより機能する。しかし、その形式上、「超伝導磁石」に働く電磁力の偏りが失われやすい。また、高周波の脈流を扱うのは複雑である。そこで、「高周波超伝導電磁エンジン」と同じ原理を用いながら、形式を変更して超伝導電磁エンジンを改良する。
【課題を解決するための手段】
【０００６】
新改型超伝導電磁エンジンでは、超伝導電磁エンジンを構成する「超伝導磁石」の半分程度を磁気シールドで覆う。かつ、「超伝導磁石」に対して固定された位置にあるループに直流電流を流す。ループは常伝導磁石もしくは超伝導磁石を構成する。すると、そのループに電磁力、即、磁力が発生する。一方、「超伝導磁石」の半分程度のみに直流電流の磁界が作用し、磁気シールドに覆われていない部分を流れる永久電流にだけ電磁力が生じるので、電磁力の偏りが恒常的に生じる。よって、その電磁力の力積が運動量に変化しない無効となり、磁力とならないので、ループに発生した電磁力、即、磁力を推進力・制動力・浮力として利用する請求項１の装置。
【発明の効果】
【０００７】
新改型超伝導電磁エンジンは、「高周波超伝導電磁エンジン」と違い、磁気シールドによって「超伝導磁石」に働く電磁力の偏りを生じさせるので、「高周波超伝導電磁エンジン」よりも電磁力の偏りが安定的に生じて効果的に機能する。また、「高周波超伝導電磁エンジン」と違い、直流電流を磁石となるループに流すので、「高周波超伝導電磁エンジン」よりも製造しやすく、かつ、扱いやすい。
【図面の簡単な説明】
【０００８】
【図１】図１は新改型超伝導電磁エンジンの「超伝導磁石」を上から見た平面図である。
【図２】図２は新改型超伝導電磁エンジンの「超伝導磁石」と磁石となるループを示した側面図である。
【産業上の利用可能性】
【０００９】
あらゆる乗り物を高性能化できる。物を浮かべて楽に移動できる台が製造できる。極めて巨大な物体をも回転させられる。
【符号の説明】
【００１０】
１    磁気シールド
２    超伝導電磁エンジンの「超伝導磁石」
３    超伝導電磁エンジンの磁石となるループ
【図１】
2018017151.tif 000003
【図２】
2018017151.tif 000004